【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
符号化ストリームを再符号化処理する再符号化装置において、
過去の符号化処理において利用されたピクチャタイプ毎の履歴符号化パラメータを、前記符号化ストリームとともに入力する入力手段と、
前記入力手段により入力された前記符号化ストリームを復号処理して画像データを生成するとともに、前記入力手段により入力された前記履歴符号化パラメータを、前記画像データとともに出力する復号手段と、
過去の符号化処理においてピクチャタイプを変更した際の符号化パラメータが前記復号手段により出力された前記履歴符号化パラメータ中に存在することを判定する履歴符号化パラメータ判定手段と、
前記履歴符号化パラメータ判定手段の判定結果に基づいて、前記復号手段により生成された前記画像データを再符号化処理する際のピクチャタイプを判定するピクチャタイプ判定手段と、
前記復号手段により出力された前記画像データを前記ピクチャタイプ判定手段により判定されたピクチャタイプで再符号化処理して、再符号化ストリームを生成する再符号化手段と、
前記ピクチャタイプ判定手段により判定されたピクチャタイプに基づいて、前記復号手段により出力された前記履歴符号化パラメータを選択的に再利用して再符号化処理するように、前記再符号化手段を制御する制御手段と
を備える再符号化装置。
【請求項２】
前記制御手段は、前記ピクチャタイプ判定手段により判定されたピクチャタイプがPピクチャであると判定された場合に、過去の符号化処理においてピクチャタイプをPピクチャに変更した際の前記履歴符号化パラメータを再利用して再符号化処理するように、前記再符号化手段を制御する
請求項１に記載の再符号化装置。
【請求項３】
前記符号化パラメータは、動きベクトルであり、
前記制御手段は、過去の符号化処理においてピクチャタイプをPピクチャに変更した際の前記動きベクトルを選択的に再利用することによって、Bピクチャで再符号化処理するように、前記再符号化手段を制御する
請求項２に記載の再符号化装置。
【請求項４】
前記制御手段は、前記ピクチャタイプ判定手段により判定されたピクチャタイプがBピクチャであると判定された場合に、過去の符号化処理においてピクチャタイプをBピクチャに変更した際の前記履歴符号化パラメータを再利用して再符号化処理するように、前記再符号化手段を制御する
請求項１に記載の再符号化装置。
【請求項５】
前記符号化パラメータは、動きベクトルであり、
前記制御手段は、過去の符号化処理においてピクチャタイプをBピクチャに変更した際の前記動きベクトルを選択的に再利用することによって、Pピクチャで再符号化処理するように、前記再符号化手段を制御する
請求項４に記載の再符号化装置。
【請求項６】
前記再符号化手段により生成された再符号化ストリームを出力する出力手段
を更に備える請求項１に記載の再符号化装置。
【請求項７】
前記出力手段は、前記制御手段により再利用された前記履歴符号化パラメータを、前記再符号化手段により生成された前記再符号化ストリームとともに更に出力する
請求項６に記載の再符号化装置。
【請求項８】
前記出力手段は、前記復号手段により出力された前記履歴符号化パラメータのうち、前記制御手段により再利用されなかった履歴符号化パラメータを、前記再符号化手段により生成された前記再符号化ストリームとともに更に出力する
請求項６に記載の再符号化装置。
【請求項９】
前記復号手段は、前記入力手段により入力された前記履歴符号化パラメータを、前記復号手段により生成された前記画像データに多重化して出力し、
前記制御手段は、前記復号手段により出力された前記画像データに多重化された前記履歴符号化パラメータを選択的に再利用して再符号化処理するように、前記再符号化手段を制御する
請求項１に記載の再符号化装置。
【請求項１０】
前記再符号化手段は、前記入力手段により入力された前記符号化ストリームのビットレート、GOP構造のうちの少なくともいずれかを変更するように再符号化処理を実行する
請求項１に記載の再符号化装置。
【請求項１１】
前記再符号化手段は、MPEG規格に準じて前記再符号化ストリームを生成する
請求項１に記載の再符号化装置。
【請求項１２】
符号化ストリームを再符号化処理する再符号化装置の再符号化方法において、
過去の符号化処理において利用されたピクチャタイプ毎の履歴符号化パラメータを、前記符号化ストリームとともに入力する入力ステップと、
前記入力ステップの処理により入力された前記符号化ストリームを復号処理して画像データを生成する復号ステップと、
前記入力ステップの処理により入力された前記履歴符号化パラメータを、前記画像データとともに出力する出力ステップと、
過去の符号化処理においてピクチャタイプを変更した際の符号化パラメータが前記出力ステップの処理により出力された前記履歴符号化パラメータ中に存在することを判定する履歴符号化パラメータ判定ステップと、
前記履歴符号化パラメータ判定ステップの処理による判定結果に基づいて、前記復号ステップの処理により生成された前記画像データを再符号化処理する際のピクチャタイプを判定するピクチャタイプ判定ステップと、
前記出力ステップの処理により出力された前記画像データを前記ピクチャタイプ判定ステップの処理により判定されたピクチャタイプで再符号化処理して、再符号化ストリームを生成する再符号化ステップと、
前記ピクチャタイプ判定ステップの処理により判定されたピクチャタイプに基づいて、前記出力ステップの処理により出力された前記履歴符号化パラメータを選択的に再利用して再符号化処理するように、前記再符号化ステップにおける処理を制御する制御ステップと
を含む再符号化方法。
【請求項１３】
符号化ストリームを再符号化する処理をコンピュータに実行させるためのプログラムであって、
過去の符号化処理において利用されたピクチャタイプ毎の履歴符号化パラメータ、および、前記符号化ストリームの入力を制御する入力制御ステップと、
前記入力制御ステップの処理により入力が制御された前記符号化ストリームを復号処理して画像データを生成する復号ステップと、
前記入力制御ステップの処理により入力が制御された前記履歴符号化パラメータ、および、前記画像データの出力を制御する出力制御ステップと、
過去の符号化処理においてピクチャタイプを変更した際の符号化パラメータが前記出力制御ステップの処理により出力が制御された前記履歴符号化パラメータ中に存在することを判定する履歴符号化パラメータ判定ステップと、
前記履歴符号化パラメータ判定ステップの処理による判定結果に基づいて、前記復号ステップの処理により生成された前記画像データを再符号化処理する際のピクチャタイプを判定するピクチャタイプ判定ステップと、
前記出力制御ステップの処理により出力が制御された前記画像データを前記ピクチャタイプ判定ステップの処理により判定されたピクチャタイプで再符号化処理して、再符号化ストリームを生成する再符号化ステップと、
前記ピクチャタイプ判定ステップの処理により判定されたピクチャタイプに基づいて、前記出力制御ステップの処理により出力が制御された前記履歴符号化パラメータを選択的に再利用して再符号化処理するように、前記再符号化ステップにおける処理を制御する制御ステップと
を含む処理をコンピュータに実行させるためのプログラムが記録されているコンピュータが読み取り可能な記録媒体。
【請求項１４】
画像データを符号化処理する符号化装置において、
過去の符号化処理において利用されたピクチャタイプ毎の履歴符号化パラメータを、前記画像データとともに入力する入力手段と、
過去の符号化処理においてピクチャタイプを変更した際の符号化パラメータが前記入力手段により入力された前記履歴符号化パラメータ中に存在するかを判定する履歴符号化パラメータ判定手段と、
前記履歴符号化パラメータ判定手段の判定結果に基づいて、前記入力手段により入力された前記画像データを符号化処理する際のピクチャタイプを判定するピクチャタイプ判定手段と、
前記入力手段により入力された前記画像データを前記ピクチャタイプ判定手段により判定されたピクチャタイプで符号化処理して、符号化ストリームを生成する符号化手段と、
前記ピクチャタイプ判定手段により判定されたピクチャタイプに基づいて、前記入力手段により入力された前記履歴符号化パラメータを選択的に再利用して符号化処理するように、前記符号化手段を制御する制御手段と
を備える符号化装置。
【請求項１５】
画像データを符号化処理する符号化装置の符号化方法において、
過去の符号化処理において利用されたピクチャタイプ毎の履歴符号化パラメータを、前記画像データとともに入力する入力ステップと、
過去の符号化処理においてピクチャタイプを変更した際の符号化パラメータが前記入力ステップの処理により入力された前記履歴符号化パラメータ中に存在するかを判定する履歴符号化パラメータ判定ステップと、
前記履歴符号化パラメータ判定ステップの判定結果に基づいて、前記入力ステップの処理により入力された前記画像データを符号化処理する際のピクチャタイプを判定するピクチャタイプ判定ステップと、
前記入力ステップの処理により入力された前記画像データを前記ピクチャタイプ判定ステップの処理により判定されたピクチャタイプで符号化処理して、符号化ストリームを生成する符号化ステップと、
前記ピクチャタイプ判定ステップの処理により判定されたピクチャタイプに基づいて、前記入力ステップの処理により入力された前記履歴符号化パラメータを選択的に再利用して符号化処理するように、前記符号化ステップを制御する制御ステップと
を含む符号化方法。
【請求項１６】
画像データを符号化する処理をコンピュータに実行させるためのプログラムであって、
過去の符号化処理において利用されたピクチャタイプ毎の履歴符号化パラメータ、および、前記画像データの入力を制御する入力制御ステップと、
過去の符号化処理においてピクチャタイプを変更した際の符号化パラメータが前記入力制御ステップの処理により入力が制御された前記履歴符号化パラメータ中に存在するかを判定する履歴符号化パラメータ判定ステップと、
前記履歴符号化パラメータ判定ステップの判定結果に基づいて、前記入力制御ステップの処理により入力が制御された前記画像データを符号化処理する際のピクチャタイプを判定するピクチャタイプ判定ステップと、
前記入力制御ステップの処理により入力が制御された前記画像データを前記ピクチャタイプ判定ステップの処理により判定されたピクチャタイプで符号化処理して、符号化ストリームを生成する符号化ステップと、
前記ピクチャタイプ判定ステップの処理により判定されたピクチャタイプに基づいて、前記入力制御ステップの処理により入力が制御された前記履歴符号化パラメータを選択的に再利用して符号化処理するように、前記符号化ステップを制御する制御ステップと
を含む処理をコンピュータに実行させるためのプログラムが記録されているコンピュータが読み取り可能な記録媒体。
【手続補正２】
【補正対象書類名】明細書
【補正対象項目名】発明の名称
【補正方法】変更
【補正の内容】
【発明の名称】再符号化装置および再符号化方法、符号化装置および符号化方法、並びに、記録媒体
【手続補正３】
【補正対象書類名】明細書
【補正対象項目名】０００１
【補正方法】変更
【補正の内容】
【０００１】
本発明は、再符号化装置および再符号化方法、符号化装置および符号化方法、並びに、記録媒体に関し、特に、動画像信号を、例えば光磁気ディスクや磁気テープなどの記録媒体に記録し、これを再生して、ステレオ視が可能なディスプレイなどに表示したり、テレビ会議システム、テレビ電話システム、放送用機器など、動画像信号を伝送路を介して送信側から受信側に伝送し、受信側において、これを受信して表示する場合などに用いて好適な再符号化装置および再符号化方法、符号化装置および符号化方法、並びに、記録媒体に関する。
【手続補正４】
【補正対象書類名】明細書
【補正対象項目名】０００７
【補正方法】変更
【補正の内容】
【０００７】
本発明の第１の側面の再符号化装置は、符号化ストリームを再符号化処理する再符号化装置であって、過去の符号化処理において利用されたピクチャタイプ毎の履歴符号化パラメータを、前記符号化ストリームとともに入力する入力手段と、前記入力手段により入力された前記符号化ストリームを復号処理して画像データを生成するとともに、前記入力手段により入力された前記履歴符号化パラメータを、前記画像データとともに出力する復号手段と、過去の符号化処理においてピクチャタイプを変更した際の符号化パラメータが前記復号手段により出力された前記履歴符号化パラメータ中に存在することを判定する履歴符号化パラメータ判定手段と、前記履歴符号化パラメータ判定手段の判定結果に基づいて、前記復号手段により生成された前記画像データを再符号化処理する際のピクチャタイプを判定するピクチャタイプ判定手段と、前記復号手段により出力された前記画像データを前記ピクチャタイプ判定手段により判定されたピクチャタイプで再符号化処理して、再符号化ストリームを生成する再符号化手段と、前記ピクチャタイプ判定手段により判定されたピクチャタイプに基づいて、前記復号手段により出力された前記履歴符号化パラメータを選択的に再利用して再符号化処理するように、前記再符号化手段を制御する制御手段とを備える。
前記制御手段には、前記ピクチャタイプ判定手段により判定されたピクチャタイプがPピクチャであると判定された場合に、過去の符号化処理においてピクチャタイプをPピクチャに変更した際の前記履歴符号化パラメータを再利用して再符号化処理するように、前記再符号化手段を制御させることができる。
前記符号化パラメータは、動きベクトルであるものとすることができ、前記制御手段には、過去の符号化処理においてピクチャタイプをPピクチャに変更した際の前記動きベクトルを選択的に再利用することによって、Bピクチャで再符号化処理するように、前記再符号化手段を制御させることができる。
前記制御手段には、前記ピクチャタイプ判定手段により判定されたピクチャタイプがBピクチャであると判定された場合に、過去の符号化処理においてピクチャタイプをBピクチャに変更した際の前記履歴符号化パラメータを再利用して再符号化処理するように、前記再符号化手段を制御させることができる。
前記符号化パラメータは、動きベクトルでるものとすることができ、前記制御手段には、過去の符号化処理においてピクチャタイプをBピクチャに変更した際の前記動きベクトルを選択的に再利用することによって、Pピクチャで再符号化処理するように、前記再符号化手段を制御させることができる。
前記再符号化手段により生成された再符号化ストリームを出力する出力手段を更に備えさせることができる。
前記出力手段には、前記制御手段により再利用された前記履歴符号化パラメータを、前記再符号化手段により生成された前記再符号化ストリームとともに更に出力させることができる。
前記出力手段には、前記復号手段により出力された前記履歴符号化パラメータのうち、前記制御手段により再利用されなかった履歴符号化パラメータを、前記再符号化手段により生成された前記再符号化ストリームとともに更に出力させることができる。
前記復号手段には、前記入力手段により入力された前記履歴符号化パラメータを、前記復号手段により生成された前記画像データに多重化して出力させることができ、前記制御手段には、前記復号手段により出力された前記画像データに多重化された前記履歴符号化パラメータを選択的に再利用して再符号化処理するように、前記再符号化手段を制御させることができる。
前記再符号化手段には、前記入力手段により入力された前記符号化ストリームのビットレート、GOP構造のうちの少なくともいずれかを変更するように再符号化処理を実行させることができる。
前記再符号化手段には、MPEG規格に準じて前記再符号化ストリームを生成させることができる。
【手続補正５】
【補正対象書類名】明細書
【補正対象項目名】０００８
【補正方法】変更
【補正の内容】
【０００８】
本発明の第１の側面の再符号化方法は、符号化ストリームを再符号化処理する再符号化装置の再符号化方法であって、過去の符号化処理において利用されたピクチャタイプ毎の履歴符号化パラメータを、前記符号化ストリームとともに入力する入力ステップと、前記入力ステップの処理により入力された前記符号化ストリームを復号処理して画像データを生成する復号ステップと、前記入力ステップの処理により入力された前記履歴符号化パラメータを、前記画像データとともに出力する出力ステップと、過去の符号化処理においてピクチャタイプを変更した際の符号化パラメータが前記出力ステップの処理により出力された前記履歴符号化パラメータ中に存在することを判定する履歴符号化パラメータ判定ステップと、前記履歴符号化パラメータ判定ステップの処理による判定結果に基づいて、前記復号ステップの処理により生成された前記画像データを再符号化処理する際のピクチャタイプを判定するピクチャタイプ判定ステップと、前記出力ステップの処理により出力された前記画像データを前記ピクチャタイプ判定ステップの処理により判定されたピクチャタイプで再符号化処理して、再符号化ストリームを生成する再符号化ステップと、前記ピクチャタイプ判定ステップの処理により判定されたピクチャタイプに基づいて、前記出力ステップの処理により出力された前記履歴符号化パラメータを選択的に再利用して再符号化処理するように、前記再符号化ステップにおける処理を制御する制御ステップとを含む。
本発明の第１の側面の記録媒体に記録されているプログラムは、符号化ストリームを再符号化する処理をコンピュータに実行させるためのプログラムであって、過去の符号化処理において利用されたピクチャタイプ毎の履歴符号化パラメータ、および、前記符号化ストリームの入力を制御する入力制御ステップと、前記入力制御ステップの処理により入力が制御された前記符号化ストリームを復号処理して画像データを生成する復号ステップと、前記入力制御ステップの処理により入力が制御された前記履歴符号化パラメータ、および、前記画像データの出力を制御する出力制御ステップと、過去の符号化処理においてピクチャタイプを変更した際の符号化パラメータが前記出力制御ステップの処理により出力が制御された前記履歴符号化パラメータ中に存在することを判定する履歴符号化パラメータ判定ステップと、前記履歴符号化パラメータ判定ステップの処理による判定結果に基づいて、前記復号ステップの処理により生成された前記画像データを再符号化処理する際のピクチャタイプを判定するピクチャタイプ判定ステップと、前記出力制御ステップの処理により出力が制御された前記画像データを前記ピクチャタイプ判定ステップの処理により判定されたピクチャタイプで再符号化処理して、再符号化ストリームを生成する再符号化ステップと、前記ピクチャタイプ判定ステップの処理により判定されたピクチャタイプに基づいて、前記出力制御ステップの処理により出力が制御された前記履歴符号化パラメータを選択的に再利用して再符号化処理するように、前記再符号化ステップにおける処理を制御する制御ステップとを含む処理をコンピュータに実行させる。
【手続補正６】
【補正対象書類名】明細書
【補正対象項目名】０００９
【補正方法】変更
【補正の内容】
【０００９】
本発明の第２の側面の符号化装置は、画像データを符号化処理する符号化装置であって、過去の符号化処理において利用されたピクチャタイプ毎の履歴符号化パラメータを、前記画像データとともに入力する入力手段と、過去の符号化処理においてピクチャタイプを変更した際の符号化パラメータが前記入力手段により入力された前記履歴符号化パラメータ中に存在するかを判定する履歴符号化パラメータ判定手段と、前記履歴符号化パラメータ判定手段の判定結果に基づいて、前記入力手段により入力された前記画像データを符号化処理する際のピクチャタイプを判定するピクチャタイプ判定手段と、前記入力手段により入力された前記画像データを前記ピクチャタイプ判定手段により判定されたピクチャタイプで符号化処理して、符号化ストリームを生成する符号化手段と、前記ピクチャタイプ判定手段により判定されたピクチャタイプに基づいて、前記入力手段により入力された前記履歴符号化パラメータを選択的に再利用して符号化処理するように、前記符号化手段を制御する制御手段とを備える。
本発明の第２の側面の符号化方法は、画像データを符号化処理する符号化装置の符号化方法であって、過去の符号化処理において利用されたピクチャタイプ毎の履歴符号化パラメータを、前記画像データとともに入力する入力ステップと、過去の符号化処理においてピクチャタイプを変更した際の符号化パラメータが前記入力ステップの処理により入力された前記履歴符号化パラメータ中に存在するかを判定する履歴符号化パラメータ判定ステップと、前記履歴符号化パラメータ判定ステップの判定結果に基づいて、前記入力ステップの処理により入力された前記画像データを符号化処理する際のピクチャタイプを判定するピクチャタイプ判定ステップと、前記入力ステップの処理により入力された前記画像データを前記ピクチャタイプ判定ステップの処理により判定されたピクチャタイプで符号化処理して、符号化ストリームを生成する符号化ステップと、前記ピクチャタイプ判定ステップの処理により判定されたピクチャタイプに基づいて、前記入力ステップの処理により入力された前記履歴符号化パラメータを選択的に再利用して符号化処理するように、前記符号化ステップを制御する制御ステップとを含む。
本発明の第２の側面の記録媒体に記録されているプログラムは、画像データを符号化する処理をコンピュータに実行させるためのプログラムであって、過去の符号化処理において利用されたピクチャタイプ毎の履歴符号化パラメータ、および、前記画像データの入力を制御する入力制御ステップと、過去の符号化処理においてピクチャタイプを変更した際の符号化パラメータが前記入力制御ステップの処理により入力が制御された前記履歴符号化パラメータ中に存在するかを判定する履歴符号化パラメータ判定ステップと、前記履歴符号化パラメータ判定ステップの判定結果に基づいて、前記入力制御ステップの処理により入力が制御された前記画像データを符号化処理する際のピクチャタイプを判定するピクチャタイプ判定ステップと、前記入力制御ステップの処理により入力が制御された前記画像データを前記ピクチャタイプ判定ステップの処理により判定されたピクチャタイプで符号化処理して、符号化ストリームを生成する符号化ステップと、前記ピクチャタイプ判定ステップの処理により判定されたピクチャタイプに基づいて、前記入力制御ステップの処理により入力が制御された前記履歴符号化パラメータを選択的に再利用して符号化処理するように、前記符号化ステップを制御する制御ステップとを含む処理をコンピュータに実行させる。
【手続補正７】
【補正対象書類名】明細書
【補正対象項目名】００１０
【補正方法】変更
【補正の内容】
【００１０】
本発明の第１の側面においては、過去の符号化処理において利用されたピクチャタイプ毎の履歴符号化パラメータが、符号化ストリームとともに入力され、入力された前記符号化ストリームが復号処理されて画像データが生成され、入力された前記履歴符号化パラメータが、前記画像データとともに出力され、過去の符号化処理においてピクチャタイプを変更した際の符号化パラメータが前記履歴符号化パラメータ中に存在することが判定され、判定結果に基づいて、生成された前記画像データを再符号化処理する際のピクチャタイプが判定され、出力された前記画像データが前記ピクチャタイプ判定ステップの処理により判定されたピクチャタイプで再符号化処理されて、再符号化ストリームが生成され、判定されたピクチャタイプに基づいて、出力された前記履歴符号化パラメータを選択的に再利用して再符号化処理するように、再符号化処理が制御される。
本発明の第２の側面においては、過去の符号化処理において利用されたピクチャタイプ毎の履歴符号化パラメータが、画像データとともに入力され、過去の符号化処理においてピクチャタイプを変更した際の符号化パラメータが前記履歴符号化パラメータ中に存在するかが判定され、判定結果に基づいて、入力された前記画像データを符号化処理する際のピクチャタイプが判定され、入力された前記画像データが判定されたピクチャタイプで符号化処理されて、符号化ストリームが生成され、判定されたピクチャタイプに基づいて、入力された前記履歴符号化パラメータが選択的に再利用されて符号化されるように符号化処理が制御される。
【手続補正８】
【補正対象書類名】明細書
【補正対象項目名】００１１
【補正方法】変更
【補正の内容】
【００１１】
以上の如く、本発明の第１の側面によれば、符号化ストリームを再符号化することができ、特に、再符号化に伴う画像の劣化を抑制することが可能となる。
また、本発明の第２の側面によれば、画像データを符号化することができ、特に、符号化および復号が繰り返されることに伴う画像の劣化を抑制することが可能となる。
【手続補正９】
【補正対象書類名】明細書
【補正対象項目名】００１３
【補正方法】変更
【補正の内容】
【００１３】
符号化ストリームを再符号化処理する再符号化装置において、過去の符号化処理において利用されたピクチャタイプ毎の履歴符号化パラメータを、前記符号化ストリームとともに入力する入力手段（例えば、図１５の復号装置１０２）と、前記入力手段により入力された前記符号化ストリームを復号処理して画像データを生成するとともに、前記入力手段により入力された前記履歴符号化パラメータを、前記画像データとともに出力する復号手段（例えば、図１５の復号装置１０２および図１５の符号化パラメータ多重装置１０３）と、過去の符号化処理においてピクチャタイプを変更した際の符号化パラメータが前記復号手段により出力された前記履歴符号化パラメータ中に存在することを判定する履歴符号化パラメータ判定手段（例えば、図１５の符号化パラメータ分離装置１０５）と、前記履歴符号化パラメータ判定手段の判定結果に基づいて、前記復号手段により生成された前記画像データを再符号化処理する際のピクチャタイプを判定するピクチャタイプ判定手段（例えば、図１５の符号化パラメータ分離装置１０５）と、前記復号手段により出力された前記画像データを前記ピクチャタイプ判定手段により判定されたピクチャタイプで再符号化処理して、再符号化ストリームを生成する再符号化手段（例えば、図１５の符号化装置１０６）と、前記ピクチャタイプ判定手段により判定されたピクチャタイプに基づいて、前記復号手段により出力された前記履歴符号化パラメータを選択的に再利用して再符号化処理するように、前記再符号化手段を制御する制御手段（例えば、図１５の符号化パラメータ分離装置１０５）とを備える。